(57)【要約】【課題】  正規品の電源ユニットであるか否かの認証のために、無線通信のための電力消費やコストの増大をほとんど引き起こすことなく、正規の電源ユニット以外で使用不能とさせることができ、電源における安全性を確保することができるようにする。【解決手段】  バッテリパック１が接続された時に、ＧＳＭ，ＵＭＴＳ携帯電話６がバッテリパック１内のメモリ１０と初期通信を行い、認証完了後にＧＳＭ，ＵＭＴＳ携帯電話６内のスイッチ１４により、充電のための電源供給や携帯電話使用のための放電を可能にする。そして、この認証が完了しない限り、スイッチ１４によりバッテリパック１を使用不可能とし、充電のための電源供給や携帯電話使用のための放電が行われないようにする。【選択図】  図４
2007060353.tif 000002
【特許請求の範囲】
【請求項１】
携帯電話装置の機種を特定する機種特定情報を格納した電源ユニットと接続可能に構成された携帯電話装置であって、
前記電源ユニットに格納された機種特定情報を当該電源ユニットとの接続端子経由で取得し、当該携帯電話装置の機種に正式に対応した電源ユニットであるかどうかの認証を行う認証手段と、
該認証手段により該認証されたか否かによって前記電源ユニットとの接続を切り替える接続制御手段と、を備えたことを特徴とする携帯電話装置。
【請求項２】
前記電源ユニットへの充電の可能状態と不可能状態とを切り替えるスイッチ手段を備え、
前記接続制御手段は、前記認証手段により正式に対応した電源ユニットであると認証された場合のみ前記スイッチ手段を前記可能状態とし、認証できない場合には前記スイッチ手段を前記不可能状態とするよう制御することを特徴とする請求項１記載の携帯電話装置。
【請求項３】
前記電源ユニットによる放電の可能状態と不可能状態とを切り替えるスイッチ手段を備え、
前記接続制御手段は、前記認証手段により正式に対応した電源ユニットであると認証された場合のみ前記スイッチ手段を前記可能状態とし、認証できない場合には前記スイッチ手段を前記不可能状態とするよう制御することを特徴とする請求項１記載の携帯電話装置。
【請求項４】
前記電源ユニットの充電および放電についての可能状態と不可能状態とを切り替えるスイッチ手段を備え、
前記接続制御手段は、前記認証手段により正式に対応した電源ユニットであると認証された場合のみ前記スイッチ手段を前記可能状態とし、認証できない場合には前記スイッチ手段を前記不可能状態とするよう制御することを特徴とする請求項１記載の携帯電話装置。
【請求項５】
前記機種特定情報は、ＩＭＥＩ情報における機種判別に用いられる部分の情報であることを特徴とする請求項１から４の何れか１項に記載の携帯電話装置。
【請求項６】
請求項１から５の何れか１項に記載の携帯電話装置と、当該携帯電話装置の機種を特定する機種特定情報を格納した電源ユニットとが接続されてなることを特徴とする携帯電話システム。
【請求項７】
携帯電話装置の機種を特定する機種特定情報を格納し、
請求項１から５の何れか１項に記載の携帯電話装置からの要求に応じて該機種特定情報を当該携帯電話装置が取得可能としたことを特徴とする電源ユニット。
【請求項８】
携帯電話装置の機種を特定する機種特定情報を格納した電源ユニットと接続可能に構成された携帯電話装置における電源ユニット認証方法であって、
電源ユニットに格納された機種特定情報を当該電源ユニットとの接続端子経由で取得する取得工程と、
前記取得工程で取得された機種特定情報に基づいて、該電源ユニットが当該携帯電話装置の機種に正式に対応した電源ユニットであるかどうかの認証を行う認証工程と、を備えたことを特徴とする電源ユニット認証方法。
【請求項９】
前記認証工程により正式に対応した電源ユニットであると認証された場合のみ前記電源ユニットを使用可能状態とし、認証できない場合には前記電源ユニットを使用不可能状態とするようスイッチ手段を制御する接続制御工程を備えたことを特徴とする請求項８記載の電源ユニット認証方法。
【請求項１０】
前記認証工程により正式に対応した電源ユニットであると認証された場合のみ前記電源ユニットを放電可能状態とし、認証できない場合には前記電源ユニットを放電不可能状態とするようスイッチ手段を制御する接続制御工程を備えたことを特徴とする請求項８記載の電源ユニット認証方法。
【請求項１１】
前記認証工程により正式に対応した電源ユニットであると認証された場合のみ前記電源ユニットを充電可能状態とし、認証できない場合には前記電源ユニットを充電不可能状態とするようスイッチ手段を制御する接続制御工程を備えたことを特徴とする請求項８記載の電源ユニット認証方法。
【請求項１２】
前記認証工程により正式に対応した電源ユニットであると認証された場合のみ前記電源ユニットを充電および放電の可能状態とし、認証できない場合には前記電源ユニットを充電および放電の不可能状態とするようスイッチ手段を制御する接続制御工程を備えたことを特徴とする請求項８記載の電源ユニット認証方法。
【請求項１３】
前記機種特定情報は、ＩＭＥＩ情報における機種判別に用いられる部分の情報であることを特徴とする請求項８から１２の何れか１項に記載の電源ユニット認証方法。
【請求項１４】
携帯電話装置の機種を特定する機種特定情報を格納した電源ユニットと接続可能に構成された携帯電話装置の電源ユニット認証プログラムであって、
コンピュータに、請求項８から１３の何れか１項に記載の工程による処理を実行させることを特徴とする電源ユニット認証プログラム。
【発明の詳細な説明】
【技術分野】
【０００１】
本発明は、電源ユニットからの電力により動作する携帯電話装置、携帯電話システム、電源ユニット、電源ユニット認証方法、およびプログラムに関する。
【背景技術】
【０００２】
従来、携帯電話装置のバッテリパック（電源ユニット）では、製造会社などから認定を受けた正規品以外の模倣品であっても、形状だけ同じであれば携帯電話装置に装着することができてしまうため、模倣品が市場に出回り、充電方法や使用方法の間違ったバッテリパックが接続される可能性があり、安全性に問題があった。
【０００３】
そこで、電池に無線タグを設け、無線タグのリーダライタとして動作する送受信機を、電池への充電を行うための携帯電話機ホルダに設けることで、電池の型名を特定する型名情報、製造年月日情報、充電回数情報、電池劣化情報を送受信機が無線タグから読み出し、読み出した情報に基づいて電池に対する充電を許可するかどうか判断するようにしたものがある（例えば、特許文献１参照）。
【特許文献１】特開２００４−２８９９９５号公報
【発明の開示】
【発明が解決しようとする課題】
【０００４】
しかしながら、上述した特許文献１のものでは、認証のための無線タグおよび無線タグリーダを、携帯電話機の機能とは別に備える必要があるため、コストの増大が発生してしまう虞があった。
また、無線通信のための電力消費の増大も発生してしまう虞があった。
【０００５】
本発明はこのような状況に鑑みてなされたものであり、正規品の電源ユニットであるか否かの認証のために、無線通信のための電力消費やコストの増大をほとんど引き起こすことなく、正規の電源ユニット以外で使用不能とさせることができ、電源における安全性を確保することができる携帯電話装置、携帯電話システム、電源ユニット、電源ユニット認証方法、およびプログラムを提供することを目的とする。
【課題を解決するための手段】
【０００６】
かかる目的を達成するために、本発明の第１の態様としての携帯電話装置は、携帯電話装置の機種を特定する機種特定情報を格納した電源ユニットと接続可能に構成された携帯電話装置であって、電源ユニットに格納された機種特定情報を当該電源ユニットとの接続端子経由で取得し、当該携帯電話装置の機種に正式に対応した電源ユニットであるかどうかの認証を行う認証手段と、該認証手段により該認証されたか否かによって電源ユニットとの接続を切り替える接続制御手段と、を備えたことを特徴とする。
【０００７】
上記した電源ユニットへの充電の可能状態と不可能状態とを切り替えるスイッチ手段を備え、上記した接続制御手段は、認証手段により正式に対応した電源ユニットであると認証された場合のみスイッチ手段を可能状態とし、認証できない場合にはスイッチ手段を不可能状態とするよう制御することが好ましい。
【０００８】
上記した電源ユニットによる放電の可能状態と不可能状態とを切り替えるスイッチ手段を備え、上記した接続制御手段は、認証手段により正式に対応した電源ユニットであると認証された場合のみスイッチ手段を可能状態とし、認証できない場合にはスイッチ手段を不可能状態とするよう制御することであってもよい。
【０００９】
上記した電源ユニットの充電および放電についての可能状態と不可能状態とを切り替えるスイッチ手段を備え、上記した接続制御手段は、認証手段により正式に対応した電源ユニットであると認証された場合のみスイッチ手段を可能状態とし、認証できない場合にはスイッチ手段を不可能状態とするよう制御することであってもよい。
【００１０】
上記した機種特定情報は、ＩＭＥＩ情報における機種判別に用いられる部分の情報であることが好ましい。
【００１１】
また、本発明の第２の態様としての携帯電話システムは、上記した第１の態様としての携帯電話装置と、当該携帯電話装置の機種を特定する機種特定情報を格納した電源ユニットとが接続されてなることを特徴とする。
【００１２】
また、本発明の第３の態様としての電源ユニットは、携帯電話装置の機種を特定する機種特定情報を格納し、上記した第１の態様としての携帯電話装置からの要求に応じて該機種特定情報を当該携帯電話装置が取得可能としたことを特徴とする。
【００１３】
また、本発明の第４の態様としての電源ユニット認証方法は、携帯電話装置の機種を特定する機種特定情報を格納した電源ユニットと接続可能に構成された携帯電話装置における電源ユニット認証方法であって、電源ユニットに格納された機種特定情報を当該電源ユニットとの接続端子経由で取得する取得工程と、取得工程で取得された機種特定情報に基づいて、該電源ユニットが当該携帯電話装置の機種に正式に対応した電源ユニットであるかどうかの認証を行う認証工程と、を備えたことを特徴とする。
【００１４】
上記した認証工程により正式に対応した電源ユニットであると認証された場合のみ電源ユニットを使用可能状態とし、認証できない場合には電源ユニットを使用不可能状態とするようスイッチ手段を制御する接続制御工程を備えたことが好ましい。
【００１５】
上記した認証工程により正式に対応した電源ユニットであると認証された場合のみ電源ユニットを放電可能状態とし、認証できない場合には電源ユニットを放電不可能状態とするようスイッチ手段を制御する接続制御工程を備えたことであってもよい。
【００１６】
上記した認証工程により正式に対応した電源ユニットであると認証された場合のみ電源ユニットを充電可能状態とし、認証できない場合には電源ユニットを充電不可能状態とするようスイッチ手段を制御する接続制御工程を備えたことであってもよい。
【００１７】
上記した認証工程により正式に対応した電源ユニットであると認証された場合のみ電源ユニットを充電および放電の可能状態とし、認証できない場合には電源ユニットを充電および放電の不可能状態とするようスイッチ手段を制御する接続制御工程を備えたことであってもよい。
【００１８】
上記した機種特定情報は、ＩＭＥＩ情報における機種判別に用いられる部分の情報であることが好ましい。
【００１９】
また、本発明の第５の態様としての電源ユニット認証プログラムは、携帯電話装置の機種を特定する機種特定情報を格納した電源ユニットと接続可能に構成された携帯電話装置の電源ユニット認証プログラムであって、コンピュータに、上記した第４の態様としての電源ユニット認証方法に記載の工程による処理を実行させることを特徴とする。
【発明の効果】
【００２０】
以上のように、本発明によれば、正規品の電源ユニットであるか否かの認証のために、無線通信のための電力消費やコストの増大をほとんど引き起こすことなく、正規の電源ユニット以外で使用不能とさせることができる。このため、電源における安全性を確保することができる。
【発明を実施するための最良の形態】
【００２１】
次に、本発明に係る携帯電話装置、携帯電話システム、電源ユニット、電源ユニット認証方法、およびプログラムを、ＩＭＥＩ（International Mobile Equipment Identity）ナンバーがユニークに割り当てられたＧＳＭ（Global System for Mobile Communications），ＵＭＴＳ（Universal Mobile Telecommunications System）携帯電話に適用した一実施形態について、図面を用いて詳細に説明する。
【００２２】
本実施形態は、ＧＳＭ，ＵＭＴＳ携帯電話装置におけるバッテリパックとの認証システムを示す。
本実施形態としての携帯電話システムは、図１に示すように、装置内部に装置コードとしてユニークなＩＭＥＩ番号を持つＧＳＭ，ＵＭＴＳ携帯電話６が、バッテリパック１と携帯電話６との間の接続端子を経由する接続線を介して通信を行い、接続時に機種特定情報を取得し、バッテリパック１との認証を行い制御するシステムである。
【００２３】
ここで従来の携帯電話システムでは、ＧＳＭ，ＵＭＴＳ携帯電話装置とバッテリパックとの間には制御機能がなかったことから、形状さえ合致すれば使用可能なバッテリパックを模倣することが可能となってしまい、ＧＳＭ，ＵＭＴＳ携帯電話装置の安全性に問題があった。
しかし、本実施形態を適用することにより、バッテリパックの模倣が困難になり、安全性の高いＧＳＭ，ＵＭＴＳ携帯電話装置バッテリパックシステムの提供が可能になる。
【００２４】
従来のＧＳＭ，ＵＭＴＳ携帯電話のバッテリシステムは、図２に示す様に、従来のＧＳＭ，ＵＭＴＳ携帯電話装置５６に携帯用のバッテリパック５１が、正極（＋極）７、負極（ＧＮＤ）９、温度検出５８、それぞれの接続端子を介して電気的に導通するよう実装されている。また、ＡＣアダプタ１２を用いることで、バッテリパック５１への充電を行っている。
従来のバッテリパック５１の構成は、電池２と、過充電・過放電の保護回路５３と、ＦＥＴ（電界効果トランジスタ；Field Effect Transistor）４とにより構成されている。
【００２５】
本実施形態としての携帯電話システムでは、図１に示すように、バッテリパック１の構成として、電池２と、過充電・過放電の保護回路３と、ＦＥＴ４との他に、メモリ１０を有している。
このメモリ１０に、携帯電話の機種を特定する機種特定情報としてＩＭＥＩナンバーの先頭８桁を記憶させておくことにより、ＧＳＭ，ＵＭＴＳ携帯電話６内の接続制御部１３により認証を行うシステムになっている。
【００２６】
本実施形態では、バッテリパック１が接続された時に、ＧＳＭ，ＵＭＴＳ携帯電話６がバッテリパック１内のメモリ１０と初期通信を行い、認証完了後にＧＳＭ，ＵＭＴＳ携帯電話６内のスイッチ１４により、充電のための電源供給や携帯電話使用のための放電を可能にする。
そして、この認証が完了しない限り、スイッチ１４によりバッテリパック１を使用不可能とし、充電のための電源供給や携帯電話使用のための放電が行われないようにする。
【００２７】
本実施形態の主要な特徴は、認証にＧＳＭ，ＵＭＴＳ仕様装置固有のＩＭＥＩナンバーを用いることにより、新たなユニークなコードを設定することなく構築可能なことになる。
本実施形態によれば、形状や端子構成のみを模倣したバッテリパックが接続されても動作しないようにさせることができ、模造品の製造を困難とさせることができるため、安全なバッテリシステムの提供が可能になる。
【００２８】
次に、本実施形態の動作について説明する。
図１に示すように、バッテリパック１とＧＳＭ，ＵＭＴＳ携帯電話６とは、正極（＋極）７、負極（ＧＮＤ）９、データ端子８の３つの接続端子を介して接続されている。
【００２９】
ここで従来のＧＳＭ，ＵＭＴＳ携帯電話では、図２に示すように、正極（＋極）７、負極（ＧＮＤ）９、温度検出５８、の３端子により、バッテリパック１とＧＳＭ，ＵＭＴＳ携帯電話とが接続されている。
【００３０】
本実施形態としての携帯電話システムでは、装置固有のＩＭＥＩナンバーにおける先頭８桁、すなわち図３に示すように、先頭６桁の型式認定コード（ＴＡＣ：type approval code）および続く２桁の製造事業者コード（ＦＡＣ：final assembly code）を、機種を特定する機種特定情報として用いてバッテリパック１の認証を行い、この認証を実施後に接続制御部１３のコントロールによりスイッチ１４を制御して、充電、放電を開始する。
【００３１】
図４に、ＧＳＭ，ＵＭＴＳ携帯電話６によるバッテリパック１の認証動作を示す。
まず、ＧＳＭ，ＵＭＴＳ携帯電話６の接続制御部１３は、バッテリパック１が接続されたことを確認すると、バッテリパック１内のメモリ１０よりあらかじめ設定されたＩＭＥＩナンバーの先頭８桁のＴＡＣコードおよびＦＡＣコード（機種特定情報）を、データ端子８を介した通信により読み出し、取得する（ステップＳ１）。
【００３２】
接続制御部１３は、こうしてバッテリパック１から取得したＴＡＣコードおよびＦＡＣコードが、ＧＳＭ，ＵＭＴＳ携帯電話６内のＴＡＣコードおよびＦＡＣコードと一致するかどうかの判定を行うことで、このバッテリパック１が本ＧＳＭ，ＵＭＴＳ携帯電話６の機種に正式に対応した正規品のバッテリパックであるかどうかの認証を行う（ステップＳ２）。
【００３３】
すなわち、バッテリパック１から取得したＴＡＣコードおよびＦＡＣコードが、ＧＳＭ，ＵＭＴＳ携帯電話６内のＴＡＣコードおよびＦＡＣコードと一致する場合、接続制御部１３は認証ＯＫとしてスイッチ１４をＯＮにし、バッテリパック１の充放電が可能な使用可能状態とする（ステップＳ３）。
【００３４】
また、バッテリパック１から取得したＴＡＣコードおよびＦＡＣコードが、ＧＳＭ，ＵＭＴＳ携帯電話６内のＴＡＣコードおよびＦＡＣコードと一致しない場合、接続制御部１３は認証ＮＧとしてスイッチ１４をＯＦＦにし、バッテリパック１の充電、放電がいずれも不可能な使用不可能状態とする（ステップＳ４）。
【００３５】
以上のように、本実施形態によれば、ＧＳＭ，ＵＭＴＳ携帯電話装置がバッテリパックの認証を行い、接続を制御することで、ＧＳＭ，ＵＭＴＳ携帯電話６内のＴＡＣコードおよびＦＡＣコードと一致するＴＡＣコードおよびＦＡＣコードを記憶したバッテリパックのみを使用可能とさせることができる。
このことにより、ＧＳＭ，ＵＭＴＳ携帯電話６の機種に正式に対応した正規品のバッテリパックが接続された場合のみ、そのバッテリパックの充電、放電を可能とし、他の場合にはそのバッテリパックの充電、放電を不可能とすることができる。
このため、バッテリパックの模倣品流通を困難とさせることができ、安全性の高いバッテリパックシステムの提供が可能になる。また、ＧＳＭ，ＵＭＴＳ携帯電話はＩＭＥＩナンバーを必ず内蔵しており、新たな認証コードを設定せず世界中でユニークな装置の判別が可能であり、安価にシステム構築が可能になる。
【００３６】
なお、上述した各実施形態は本発明の好適な実施形態であり、本発明はこれに限定されることなく、本発明の技術的思想に基づいて種々変形して実施することが可能である。
例えば、充放電の可能状態／不可能状態を切り替えるスイッチ１４としては、例えばＦＥＴ，トランジスタ等、スイッチ機能を有する任意の部品を用いてよい。
【００３７】
また、上述した実施形態では、温度検出端子５８に替えてデータ端子８を備えることにより、そのデータ端子８を介してデータ通信を行うこととして説明しているが、温度検出とデータ通信の両方を行う構成であってもよい。
また、温度検出のための端子をさらに備えた構成であってもよい。また、他の機能を実現するための端子がさらに設けられた構成であってもよい。また、正極と負極の端子によりデータ通信も行う構成であってもよい。
すなわち、電力供給と、上述した実施形態に係るデータ通信とを行うことができれば、接続端子の数は３つに限定されず、２つ以上任意の数であってよい。また、各端子の機能も上述した実施形態のものに限定されず、各種の機能を実現するものであってよい。
【００３８】
また、上述した実施形態では、認証を行うにあたって接続制御部１３が、バッテリパック１内のメモリ１０から機種特定情報を読み出すことにより取得することとして説明したが、機種特定情報を取得することができればこの動作を行う構成に限定されず、例えば、ＧＳＭ，ＵＭＴＳ携帯電話６からの要求に応じて機種特定情報を送出する送出制御部がバッテリパック１内に設けられた構成であってもよい。
また、本実施形態に係る保護回路３が、機種特定情報を送出するデータ送信を行う構成であってもよい。
【００３９】
また、上述した実施形態では、バッテリパック１の認証結果に応じて、充電と放電の両方について、可能状態と不可能状態とが切り替えられることとして説明したが、例えば、充電のみについて可能状態と不可能状態とが切り替えられる構成であってもよく、放電のみについて可能状態と不可能状態とが切り替えられる構成であってもよい。
【００４０】
また、本実施形態を適用する携帯電話装置は、ＧＳＭ，ＵＭＴＳ携帯電話として説明したが、ＩＭＥＩナンバーにより機種の特定が可能な携帯電話装置であればこのものに限定されず、例えばＧＳＭ携帯電話装置であってもよく、ＵＭＴＳ携帯電話装置であってもよい。
【００４１】
また、ＩＭＥＩナンバーにおける機種特定情報として用いられる部分は、先頭８桁として説明したが、ＩＭＥＩ情報における機種特定に用いられる部分の情報であれば、ＴＡＣコード６桁のみでもよく、また、その一部のみを用いる構成であっても、上述した実施形態に近い効果を得ることができ、本発明を同様に適用できるものである。
【００４２】
また、ＧＳＭ，ＵＭＴＳ携帯電話６がバッテリパック１から機種特定情報を取得するための通信に暗号を用いる構成であっても、用いる暗号の種類に関わらず、本発明を同様に適用することができる。
【００４３】
また、機種特定情報はＩＭＥＩナンバーに限定されず、携帯電話機の機種を特定可能な機種特定情報であれば、任意の情報を用いてよい。
この場合、本発明に係る携帯電話装置は、上述したＧＳＭ機またはＵＭＴＳ装置に限定されず、携帯電話機の機種を特定可能な機種特定情報を備えたものであれば任意の装置であってよい。
【００４４】
また、上述した各実施形態としての携帯電話システムを実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えば、フロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いてよい。
【００４５】
この本発明に係るプログラムによれば、当該プログラムによって制御される携帯電話装置に、上述した本発明に係る実施形態としての携帯電話装置における各機能を実現させることができる。
【図面の簡単な説明】
【００４６】
【図１】本発明の実施形態としての携帯電話システムの構成を示すブロック図である。
【図２】従来の携帯電話システムの構成を示すブロック図である。
【図３】ＩＭＥＩナンバーの構成を示す図である。
【図４】本実施形態としての携帯電話システムによるバッテリパック１の認証動作を示すフローチャートである。
【符号の説明】
【００４７】
１    バッテリパック（電源ユニットの一例）
２    電池
３    保護回路
４    ＦＥＴ
６    ＧＳＭ，ＵＭＴＳ携帯電話（携帯電話装置の一例）
７    正極端子
８    データ端子
９    負極端子
１２    ＡＣアダプタ
１３    接続制御部
１４    スイッチ
【図１】
2007060353.tif 000003
【図２】
2007060353.tif 000004
【図３】
2007060353.tif 000005
【図４】
2007060353.tif 000006